(57)【要約】  シェービングデバイス（１）における使用のためのシェービングユニット（１１）に関する。シェービングユニットは、支持部材（１９，２１ａ，２１ｂ，２１ｃ）と、支持部材によって支持される少なくとも２つの毛切断ユニット（７ａ，７ｂ，７ｃ）とを含む。各毛切断ユニットは、毛進入開口（３１）を備える外部切断部材（２５ａ）と、回転軸（４１）について外部切断部材に対して回転可能であり、複数の毛切断要素（３５）を有する、内部切断部材（２７ａ）とを含む。シェービングユニットは、支持部材に対して解放可能に連結可能であり、シェービングユニットの組立状態において少なくとも２つの毛切断ユニットを支持部材に対する動作位置に保持するように構成される、保持構造（２３ａ，２３ｂ，２３ｃ）を更に含む。保持構造は、少なくとも２つの毛切断ユニットの各々のそれぞれの毛切断ユニットについて、別個の保持部材（２３ａ，２３ｂ，２３ｃ）を含み、別個の保持部材は、支持部材に解放可能に連結可能であり、少なくとも２つの毛切断ユニットの任意の他の毛切断ユニットから独立してそれぞれの毛切断ユニットを支持部材に対する動作位置において別個に保持するように構成される。保持構造は、少なくとも２つの毛切断ユニットの各々のそれぞれの毛切断ユニットについて、少なくとも１つの係止要素（７９ａ，７９ｂ）を含む係止部材（６７）を含み、少なくとも１つの係止要素は、シェービングユニットの組立状態においてバネ力によってそれぞれの毛切断ユニット記外部切断部材に向かって付勢され、回転軸についての外部切断部材の回転を防止するよう外部切断部材の係合要素（８７ａ，８７ｂ）によって係合される。それぞれの毛切断ユニットについて提供される係止部材は、任意の他の係止部材から別個に配置され、少なくとも２つの毛切断ユニットの任意の他の毛切断ユニットについて提供され、それぞれの毛切断ユニットについて提供される前記別個の保持部材と一体化される。
2021504073.tif 000002
【特許請求の範囲】
【請求項１】
シェービングデバイスにおける使用のためのシェービングユニットであって、
当該シェービングユニットは、支持部材と、該支持部材によって支持される少なくとも２つの毛切断ユニットとを含み、各毛切断ユニットは、
−  毛進入開口を備える外部切断部材と、
−  回転軸について前記外部切断部材に対して回転可能であり、複数の毛切断要素を有する、内部切断部材とを含み、
当該シェービングユニットは、前記支持部材に対して解放可能に連結可能であり、当該シェービングユニットの組立状態において、前記少なくとも２つの毛切断ユニットを前記支持部材に対する動作位置に保持するように構成される、保持構造を更に含み、
該保持構造は、前記少なくとも２つの毛切断ユニットの各々のそれぞれの毛切断ユニットについて、少なくとも１つの係止要素を含む係止部材を含み、前記少なくとも１つの係止要素は、当該シェービングユニットの前記組立状態において、バネ力によって前記それぞれの毛切断ユニットの前記外部切断部材に向かって付勢され、前記回転軸についての前記外部切断部材の回転を防止するよう前記外部切断部材の係合要素によって係合され、
前記保持構造は、前記少なくとも２つの毛切断ユニットの各々のそれぞれの毛切断ユニットについて、別個の保持部材を含み、該別個の保持部材は、前記支持部材に解放可能に連結可能であり、前記少なくとも２つの毛切断ユニットの任意の他の毛切断ユニットから独立して、前記それぞれの毛切断ユニットを前記支持部材に対する動作位置において別個に保持するように構成され、
前記それぞれの毛切断ユニットについて提供される前記係止部材は、任意の他の係止部材から別個に配置され、前記少なくとも２つの毛切断ユニットの任意の他の毛切断ユニットについて提供され、前記それぞれの毛切断ユニットについて提供される前記別個の保持部材と一体化されることを特徴とする、
シェービングユニット。
【請求項２】
前記支持部材は、ベース部材を含み、前記少なくとも２つの毛切断ユニットの各々のそれぞれの毛切断ユニットについて、前記ベース部材によって枢動的に支持される別個の支持要素を含み、前記それぞれの毛切断ユニットについて提供される前記別個の保持部材は、前記それぞれの毛切断ユニットを前記動作位置において保持するために前記それぞれの毛切断ユニットについて提供される前記支持要素に解放可能に連結可能である、請求項１に記載のシェービングユニット。
【請求項３】
前記係合要素は、前記外部切断部材の周方向フランジに設けられる圧痕を含む、請求項１又は２に記載のシェービングユニット。
【請求項４】
前記支持部材は、前記別個の保持部材の各々のそれぞれ１つについて、前記それぞれの毛切断ユニットの前記回転軸についての前記支持部材に対する前記別個の保持部材の回転運動によって前記支持部材に対する前記それぞれの別個の保持部材の連結を可能にするように構成される連結構造を含む、請求項１乃至３のうちのいずれか１項に記載のシェービングユニット。
【請求項５】
前記係止部材は、前記別個の保持部材のベース部分に締結されるバネ部材を含み、前記少なくとも１つの係止要素は、前記バネ部材に取り付けられる、請求項１乃至４のうちのいずれか１項に記載のシェービングユニット。
【請求項６】
前記ベース部分は、主に環状であり、前記バネ部材は、中央部分と、２つの端部分とを有する、半環状であり、前記係止要素は、前記バネ部材の前記中央部分に取り付けられ、前記バネ部材の前記２つの端部分は、前記別個の保持部材の前記ベース部分に取り付けられる、請求項５に記載のシェービングユニット。
【請求項７】
当該シェービングユニットの前記組立状態において、前記バネ部材は、前記外部切断部材から見て外方に向く前記ベース部分の側に配置される、請求項６に記載のシェービングユニット。
【請求項８】
前記ベース部分は、主に環状であり、前記係止部材は、２つの半環状バネ部材と、２つの係止要素とを含み、各係止要素は、前記２つのバネ部材のそれぞれ１つのバネ部材の中央部分に取り付けられ、各バネ部材は、前記別個の保持部材の前記ベース部分に取り付けられる２つの端部分を有する、請求項５に記載のシェービングユニット。
【請求項９】
前記係止部材の前記２つの半環状バネ部材及び前記２つの係止要素は、単一の金属ブレードから一体的に形成されている、請求項８に記載のシェービングユニット。
【請求項１０】
前記バネ部材は、当該シェービングユニットの前記組立状態において前記外部切断部材に面する前記ベース部分の側で前記ベース部分に設けられる凹みチャンバ内に配置される、請求項５に記載のシェービングユニット。
【請求項１１】
シェービングヘッドであって、
当該シェービングヘッドをシェービングデバイスの本体に解放可能に連結するように構成される連結部材を含むベース構造と、
該ベース構造に解放可能に連結可能であるシェービングユニットとを含み、
該シェービングユニットは、請求項１乃至１０のうちのいずれか１項に記載のシェービングユニットである、
シェービングヘッド。
【請求項１２】
シェービングデバイスであって、
アクチュエータを収容する本体と、
前記アクチュエータによって駆動されるために前記本体に解放可能に連結可能であるシェービングヘッドとを含み、
該シェービングヘッドは、請求項１１に記載のシェービングヘッドである、
シェービングデバイス。
【発明の詳細な説明】
【技術分野】
【０００１】
本発明は、シェービングデバイスにおける使用のためのシェービングユニットに関し、シェービングユニットは、支持部材と、支持部材によって支持される少なくとも２つの毛切断ユニットとを含み、各毛切断ユニットは、毛入口開口を備える外部切断部材と、回転軸について外部切断部材に対して回転可能であり、複数の毛切断要素を有する、内部切断部材とを含み、シェービングユニットは、支持部材に解放可能に連結可能であり、シェービングユニットの組み立てられた状態において支持部材に対する動作位置において少なくとも２つの毛切断ユニットを保持するように構成される、保持構造を更に含み、保持構造は、少なくとも２つの毛切断ユニットの各々について、少なくとも１つの係止要素を含む係止部材を含み、少なくとも１つの係止要素は、シェービングユニットの組み立てられた状態において、それぞれの毛切断ユニットの外部切断部材に向かってバネ力によって付勢され、外部切断部材の係合要素によって係合されて、回転軸についての外部切断部材の回転を防止する。
【０００２】
本発明は、更に、シェービングヘッドをシェービングデバイスの本体に解放可能に連結するように構成された連結部材を含むベース構造と、ベース構造に解放可能に連結可能な冒頭段落に記載するタイプのシェービングユニットとを含む、シェービングヘッドに関する。
【０００３】
本発明は、更に、アクチュエータを収容する本体と、アクチュエータによって駆動されるために本体に解放可能に連結可能な前述のタイプのシェービングヘッドとを含む、シェービングデバイスに関する。
【背景技術】
【０００４】
各毛切断ユニットが毛入口開口を備える外部切断部材と外部切断部材に対して回転可能な内部切断部材とを含む、２つ又はそれよりも多くの毛切断ユニットを有する、シェービングユニットはよく知られている。そのようなシェービングユニットにおいて、内部切断部材は、通常、例えば、内部切断部材を回転させる駆動スピンドルによって付勢されて外部切断部材と接触して、外部切断部材と内部切断部材の協働を可能にして、毛を効果的に切断する。回転する内部切断部材によって加えられる摩擦力及び毛切断力の影響の下での毛切断ユニットのための支持部材に対する外部切断部材の回転を防止するために、知られているシェービングユニットは、そのような回転を防止するための係止構造を含む。知られている係止構造は、支持部材上に設けられた１つ又はそれよりも多くの突起を含み、１つ又はそれよりも多くの突起は、支持部材に対する毛切断ユニットの動作位置において、外部切断部材の周方向フランジに設けられた対応する数の圧痕と係合する。そのような係止構造は、例えば、洗浄後に、シェービングユニットを組み立てるときに、ユーザにとっての困難を生じさせる。シェービングユニットを組み立てるとき、ユーザは、保持構造を支持部材に連結する前に、前記突起に対して前記圧痕を正確に整列させなければならない。ユーザがそうすることに失敗すると、支持部材に対する外部切断部材の斜め位置の結果として、シェービングユニットは、組立中に又は後に使用中に損傷させられることがあり、或いはシェービングユニットは、最適に機能しないことがある。
【０００５】
上述の問題は、特許文献１から知られている冒頭段落に述べたタイプのシェービングユニットによって部分的に解決されている。この知られているシェービングユニットは、支持部材によって支持された３つの毛切断ユニットを含む。支持部材に対する外部切断部材の回転は、係止要素によって防止され、係止要素は、毛切断ユニットの動作位置において、外部切断部材に向かうバネ力によって付勢され、外部切断部材の周方向フランジに設けられた圧痕と係合する。知られているシェービングユニットは、全ての３つの毛切断ユニットを支持部材に対するそれらの動作位置に保持するよう、支持部材に解放可能に連結可能な単一の共通の保持部材を含む。係止要素は、毛切断ユニットのための共通の保持部材に締結された弾性シート材料の単一の多角形フレーム上に一体的に形成される。シェービングユニットを組み立てるときに、ユーザは、関連する内部切断部材が外部切断部材内に配置された状態で、各外部切断部材を支持部材に設けられたそれぞれの開口内に配置しなければならない。このステップでは、外部切断部材を前記開口の中心線に対する任意の回転位置に配置することができ、それはユーザにとって便利である。次のステップにおいて、ユーザは、共通の保持部材を支持部材に連結しなければならない。このステップにおいて係止要素が外部切断部材の圧痕に対して整列させられないとき、係止要素は、外部切断部材のフランジに対して付勢される。引き続き、シェービングユニットが起動(アクティブ化)されると、支持部材への共通の保持部材の連結後に係止部材に対して適切に整列させられない１つ又はそれよりも多くの外部切断部材は、係止要素が対応する圧痕と整列させられる且つ対応する圧痕内に付勢されるまで、回転する内部切断部材の摩擦力及び毛切断力によって回転され、それによって、外部切断部材を更なる回転に対して自動的に係止する。この知られているシェービングユニットの不利点は、共通の保持部材と共通の保持部材に締結された係止要素を支持する単一の多角形フレームとが、シェービングユニットの設計自由度、特に毛切断ユニットの空間的配置に関する設計自由度を制限することである。その結果、知られているシェービングユニットは、毛切断ユニットの単なる平面配置を有する。
【発明の概要】
【発明が解決しようとする課題】
【０００６】
本発明の目的は、既知のシェービングユニットの不利点を有さない冒頭段落に記載するタイプのシェービングユニットを提供することである。特に、本発明の目的は、既知のシェービングユニットと比較して、シェービングユニットの組立中のユーザのための類似の又は改良された使いやすさを提供しながら、毛切断ユニットの空間的配置に関してより改良された設計自由度を備えるようなシェービングユニットを提供することである。
【課題を解決するための手段】
【０００７】
前記目的を達成するために、本発明によれば、冒頭段落に述べたようなタイプのシェービングユニットは、保持構造が、少なくとも２つの毛切断ユニットの各々のそれぞれの毛切断ユニットについて、別個の保持部材を含み、別個の保持部材は、支持部材に解放可能に連結可能であり、少なくとも２つの毛切断ユニットの任意の他の毛切断ユニットから独立して、それぞれの毛切断ユニットを支持部材に対する動作位置において別個に保持するように構成され、それぞれの毛切断ユニットについて提供される係止部材は、任意の他の係止部材から別個に配置され、少なくとも２つの毛切断ユニットの任意の他の毛切断ユニットについて提供され、それぞれの毛切断ユニットについて提供される別個の保持部材と一体化されることを特徴とする。本発明に従ったシェービングユニットの組立状態において、各毛切断ユニットは、他の毛切断ユニットとは独立して支持部材に個別にかつ解放可能に連結される別個の保持部材によって、支持部材に対するその動作位置に保持される。外部切断部材に向かうバネ力によって付勢され、その回転を防止するように外部切断部材によって係合される、１つ又はそれよりも多くの係止要素を含む、係止部材は、別個の保持部材と一体化され、結果的に、他の毛切断ユニットについて提供される係止部材とは別個に配置される。この組成物は、支持部材に対して、保持部材に一体化される、別個の保持部材及び別個の係止部材の空間的配置に関する大きな設計自由度を提供する。その結果、前記組成物は、支持部材の形状に関する大きな設計
自由度も提供し、結果的に、支持部材によって支持される毛切断ユニットの空間的配置に関する大きな設計自由度も提供する。支持部材は、例えば、強く湾曲した形状、例えば、球の一部の形状を有してよい。他方、別個の係止部材は、ユーザが外部切断部材を支持部材の対応する開口内の任意の回転位置に配置することができる点において、シェービングユニットの組立中に特許文献１のシェービングユニットと比較して少なくとも類似の程度のユーザ快適性を提供する。使用の容易さは更に向上する。何故ならば、別個の保持部材に一体化される係止部材の相互に別個の配置は、ユーザが、別個の保持部材及びその中に一体化される係止部材を別々に解放することによって毛切断ユニットを支持部材から１つずつ取り外すこと及び毛切断ユニットを１支持部材内に１つずつ戻して配置することを可能にするからである。
【０００８】
本発明に従ったシェービングユニットの実施形態において、支持部材は、ベース部材を含み、少なくとも２つの毛切断ユニットの各々のそれぞれの毛切断ユニットについて、ベース部材によって枢動的に支持される別個の支持要素を含み、それぞれの毛切断ユニットについて提供される別個の保持部材は、それぞれの毛切断ユニットを動作位置において保持するためにそれぞれの毛切断ユニットについて提供される支持要素に解放可能に連結可能である。別個の保持部材に一体化された係止部材の相互に別個の配置は、一体化された別個の係止部材を備える別個の保持部材が別個の支持要素に個別に連結されて別個の支持要素と共に枢動することを可能にする。別個の支持要素は、毛切断ユニットが支持部材のベース部材に対して個別に独立的に枢動することを可能にするので、毛切断ユニットの向きを毛切断ユニットと接触する皮膚の局所的輪郭に個別に適合させることができる。
【０００９】
本発明に従ったシェービングユニットの更なる実施形態において、係合要素は、外部切断部材の周方向フランジに設けられた圧痕を含む。圧痕は、付勢された係止要素との単純で信頼性の高い相互作用を提供する。
【００１０】
本発明に従ったシェービングユニットの好ましい実施形態において、支持部材は、別個の保持部材の各々のそれぞれ１つについて、それぞれの毛切断ユニットの回転軸についての支持部材に対する別個の保持部材の回転運動によって支持部材に対するそれぞれの別個の保持部材の連結を可能にするように構成される連結構造を含む。この実施形態において、毛切断ユニットのための別個の保持部材は、毛切断ユニットの回転軸についての回転運動によって支持部材に連結される。この目的のために、連結構造は、例えば、差込式連結を含むことがある。連結ステップの間の別個の保持部材の回転運動の結果として、保持部材に一体化される係止要素は、係止要素が、連結ステップの前に保持部材を支持部材上に配置した後に、係合要素と未だ整列及び係合させられていない場合には、外部切断部材の係合要素と整列させられることがあり、結果的に、外部切断部材の係合要素と係合するよう付勢されることがある。よって、この実施形態は、ユーザによるシェービングユニットの組立中に既に回転に対する外部切断部材の自動的係止を提供することがある。
【００１１】
本発明に従ったシェービングユニットの更なる実施形態において、係止部材は、別個の保持部材のベース部分に締結されるバネ部材を含み、少なくとも１つの係止要素は、バネ部材に取り付けられる。この実施形態は、別個の保持部材への別個の係止部材の一体化及び単純な構造を提供する。
【００１２】
本発明に従ったシェービングユニットの一層更なる実施形態において、ベース部分は、主に環状であり、バネ部材は、中央部分と、２つの端部分とを有する、半環状であり、係止要素は、バネ部材の中央部分に取り付けられ、バネ部材の２つの端部分は、別個の保持部材のベース部分に取り付けられる。この実施形態は、係止部材のバネ部材の堅牢な構造、係止要素に対する比較的大きな付勢力、及び付勢方向における係止要素のための比較的大きな運動経路を提供する。
【００１３】
半環状バネ部材を含む本発明に従ったシェービングユニットの一層更なる実施形態では、シェービングユニットの組立状態において、バネ部材は、外部切断部材から見て外方に向くベース部分の側に配置される。この実施形態では、シェービングユニットの組立状態において、半環状バネ部材は、別個の保持部材のベース部分の前記側に寄り掛かるので、バネ部材の中央部分に取り付けられた係止要素は、外部切断部材の係合要素に対して付勢方向における明確な(well-defined)位置を有する。ベース部分の前記側での半環状バネ部材の配置は、ユーザによるシェービングユニットの組立中に、係止要素が外部切断部材の係合要素と直ちに係合しないときに、バネ部材を十分な程度まで変形させることを更に可能にする。
【００１４】
本発明に従ったシェービングユニットの更なる好ましい実施形態において、ベース部分は、主に環状であり、係止部材は、２つの半環状バネ部材と、２つの係止要素とを含み、各係止要素は、２つのバネ部材のそれぞれ１つのバネ部材の中央部分に取り付けられ、各バネ部材は、別個の保持部材のベース部分に取り付けられる２つの端部分を有する。本実施形態において、２つの係止要素は、外部切断部材の回転を防止するために設けられ、それによって、別個の係止部材の係止機能が改良される。２つの半環状バネ部材は、環状ベース部分の側面に環状構成で設けられてよく、それによって、別個の係止部材の堅牢な構造、係止要素に対する比較的大きな付勢力、及び付勢方向における係止要素の比較的大きな運動経路を提供することがある。
【００１５】
本発明に従ったシェービングユニットの一層更なる好ましい実施形態において、係止部材の２つの半環状バネ部材及び２つの係止要素は、単一の金属ブレードから一体的に形成されている。このようにして、別個の係止部材を、例えば、金属切断及び曲げプロセスによって、単一の金属ブレードから簡単に製造することができ、そして、例えば、別個の保持部材上に一体的に設けられる取付要素の周りで金属ブレードの一部を更に曲げることによって、簡単な方法において別個の保持部材に取り付けることができる。
【００１６】
本発明に従ったシェービングユニットの更なる実施形態において、バネ部材は、シェービングユニットの組立状態において外部切断部材に面するベース部分の側でベース部分に設けられる凹みチャンバ内に配置される。この実施形態において、凹みチャンバは、シェービングユニットの組立中に、係止要素が外部切断部材の係合要素と直ちに係合しないときに、バネ部材を十分な程度まで変形させることを可能にする。
【００１７】
更に、本発明によれば、冒頭段落において述べたタイプのシェービングヘッドは、シェービングヘッド中で使用されるシェービングユニットが、前述の本発明に従ったシェービングユニットであることを特徴とする。
【００１８】
更に、本発明によれば、冒頭段落において述べたタイプのシェービングデバイスは、シェービングデバイス中で使用されるシェービングヘッドが、前述の本発明に従ったシェービングヘッドであることを特徴とする。
【００１９】
本発明のより良い理解のために並びに本発明がどのように実施されることがあるかをより明確に示すために、ほんの一例として添付図面を参照する。
【図面の簡単な説明】
【００２０】
【図１】本発明に従ったシェービングデバイスの実施形態を示している。
【図２】本発明に従ったシェービングユニットを含む図１のシェービングデバイスで用いられる本発明のシェービングヘッドの実施形態を示している。
【図３】図２に示すシェービングユニットの保持要素、毛切断ユニット及び支持要素を示している。
【図４Ａ】図３の保持部材を詳細に示しており、保持部材の係止部材及びベース部分を別々に示している。
【図４Ｂ】保持部材に統合された係止部材を備える図３の保持部材を示している。
【図５】本発明に従ったシェービングユニットの代替的な実施形態の保持部材を示している。
【発明を実施するための形態】
【００２１】
図１は、本発明に従ったシェービングデバイス１の実施形態を示している。シェービングデバイス１は、本発明に従った本体３とシェービングヘッド５とを含む。本体３は、図１には見えないアクチュエータ、例えば、電気モータを収容する。シェービングヘッド５は、本体３に解放可能に連結可能であり、３つの毛切断ユニット７ａ、７ｂ、７ｃを含む。シェービングヘッド５が本体３に連結される図１に示す状態では、シェービングデバイス１がユーザによってアクティブ化(起動)されるときに、毛切断ユニット７ａ、７ｂ、７ｃをアクチュエータによって駆動させることができる。
【００２２】
シェービングヘッド５は、図２により詳細に示されている。シェービングヘッド５は、本発明に従ったベース構造９とシェービングユニット１１とを含む。ベース構造９は、シェービングヘッド５をシェービングデバイス１の本体３に解放可能に連結するように構成された連結部材１３を含む。連結部材１３は、図２に概略的に示されているに過ぎず、本体３に設けられた協働するスナップコネクタ(snap  connector)と係合するための機械的スナップコネクタを含んでよい。そのようなスナップコネクタは、当業者によく知られている。シェービングユニット１１は、シェービングヘッド５のベース構造９に解放可能に連結可能である。図１は、シェービングユニット１１がベース構造９に連結された動作状態におけるシェービングヘッド５を示している。図２は、シェービングユニット１１がベース構造９から分離された状態におけるシェービングヘッド５を示している。ベース構造９及びシェービングユニット１１は、ベース構造９へのシェービングユニット１１の解放可能な連結のために、図２には示されていない任意の適切な協働する連結要素、例えば、当業者によく知られている協働する機械的スナップコネクタを備えてよい。
【００２３】
図２に更に示すように、ベース構造９は、３つの回転可能な駆動スピンドル１５ａ、１５ｂ、１５ｃを含み、各駆動スピンドルは、シェービングユニット１１がベース構造９に連結されるときに、３つの毛切断ユニット７ａ、７ｂ、７ｃのそれぞれ１つを回転可能に駆動させるためにある。シェービングヘッド５が本体３に連結されるときに、ベース構造９に配置される図２には見えない適切な伝達機構を介して、本体３内のアクチュエータによって駆動スピンドル１５ａ、１５ｂ、１５ｃを駆動させることができる。ベース構造９は、シェービングユニット１１がベース構造９に連結されてるときに、毛切断ユニット７ａ、７ｂ、７ｃによって切断される毛を収集するための、３つの毛収集チャンバ１７ａ、１７ｂ、１７ｃを更に含む。
【００２４】
シェービングユニット１１は、支持部材を含み、図２に示すようなシェービングユニット１１を組立状態において支持部材によって支持される３つの毛切断ユニット７ａ、７ｂ、７ｃを更に含む。代替的な実施形態において、本発明に従ったシェービングユニットは、異なる数の毛切断ユニット、例えば、２つの毛切断ユニット又は３つよりも多くの毛切断ユニットを含んでよい。シェービングユニット１１の支持部材は、ベース部材１９を含み、３つの毛切断ユニット７ａ、７ｂ、７ｃの各々について、別個の支持要素２１ａ、２１ｂ、２１ｃを含む。図１及び図２に示すように、ベース部材１９は、支持要素２１ａ、２１ｂ、２１ｃが配置される３つの開口を備える支持フレームである。ベース部材１９は、シェービングヘッド５のベース構造９へのシェービングユニット１１の解放可能な連結のための連結要素も含む。
【００２５】
図３は、シェービングユニット１１の３つの支持要素のうちの１つの支持要素２１ａを、関連する毛切断ユニット７ａ及び関連する保持部材２３ａと共に、相互に分解された状態で示している。毛切断ユニット７ａは、外部切断部材２５ａと、内部切断部材２７ａとを含む。外部切断部材２５ａは、一般的に、複数の毛進入開口３１が設けられた環状シェービングトラック２９を有する円筒形キャップの形態にある。外部切断部材２５ａは、シェービングトラック２９から離れたキャップの側面に設けられた周方向フランジ３３を更に含む。内部切断部材２７ａは、内部切断部材２７ａの支持部材３７上に環状構成で設けられた複数の毛切断要素３５を有する。支持部材３７は、シェービングヘッド５の組立状態において関連する駆動スピンドル１５ａを受け入れるための中央連結キャビティ３９を有する。前記組立状態において、内部切断部材２７ａは、駆動スピンドル１５ａによって回転軸４１について外部切断部材２５ａに対して回転可能である。外部切断部材２５ａに対する内部切断部材２７ａの回転中に、外部切断部材２５ａの毛進入開口３１を貫入する毛は、内部切断部材２７ａの毛切断要素３５に設けられた切断エッジと外部切断部材２５ａの毛進入開口３１の側壁に設けられた対向切断エッジとの間の相互作用によって切断される。毛切断ユニット７ａと同様に、毛切断ユニット７ｂ，７ｃの各々は、外部切断部材２５ａ及び内部切断部材２７ａにそれぞれ類似する、外部切断部材及び内部切断部材を含むことに留意のこと。
【００２６】
保持部材２３ａは、主に環状のベース部分４３を含み、ベース部分４３は、シェービングユニット１１の組立状態において支持部材２１ａに対する動作位置に毛切断ユニット７ａを保持するよう、支持部材２１ａに解放可能に連結可能である。この目的のために、保持部材２３ａは、環状のベース部分４３上の２つの正反対の周方向位置に設けられた２つの差込型の連結要素４５を含む。図３には、２つの差込型の連結要素４５のうちの１つのみが見える。差込型の連結要素４５は、支持要素２１ａの内壁上の２つの正反対の位置に設けられた２つの連結突起４７と協働し且つ係合するように構成される。図３に示す分解状態から開始して、毛切断ユニット７ａを支持要素２１ａに対するその動作位置に導いて保持するために、ユーザは、毛切断要素３５が環状シェービングトラック２９に接触するように、内部切断部材２７ａを外部切断部材２５ａ内に配置しなければならない。引き続き、ユーザは、外部切断部材２５ａの周方向フランジ３３が支持要素２１ａの内壁に設けられた環状内部リム４９に当接するように、シェービングユニット７ａを支持要素２１ａ内に配置しなければならない。最後に、ユーザは、外部切断部材２５ａの周方向フランジ３３上に保持部材２３ａを配置して、保持部材２３ａの２つの差込型の連結部材４５を支持部材２１ａの２つの連結突起４７との係合に導くことによって、保持部材２３ａを支持部材２１ａに連結しなければならない。ユーザが外部切断部材２５ａに対して保持部材２３ａを正しく整列させるのを助けるために、保持部材２３ａは、外部切断部材２５ａのキャップの内壁と接触するために環状ベース部分４３上の２つの正反対の位置に設けられた２つの整列要素５１を含む。差込型の連結要素４５及び連結突起４７は、回転軸４１についての支持部材２１ａに対する保持部材２３ａの回転運動を介して相互係合に導かれる。その結果、周方向フランジ３３は、支持要素２１ａの環状内部リム４９と保持部材２３ａのベース部分４３の環状当接面５３との間で回転軸４１に平行な方向において係止クされる。ユーザによる保持部材２３ａの回転は、当接面５３から離れたベース部分４３の側面に設けられた２つの指グリップ部分５５によって容易にされる。図２に示すように保持部材２３ａが支持要素２１ａに連結された状態で、内部切断部材２７ａは、保持部材２３ａのベース部分４３に設けられた内部環状フランジ５７による回転軸４１に平行な方向における多少の遊びを伴って、外部切断部材２５ａの所定の位置に保持される。引き続き、シェービングユニット１１がシェービングヘッド５のベース構造９に連結されると、内部切断部材２７ａの毛切断要素３５は、駆動スピンドル１５ａによって、外部切断部材２５ａのシェービングトラック２９と動作的に接触するように付勢される。
【００２７】
シェービングユニット１１は、保持部材２３ａと類似の方法においてそれぞれの支持要素２１ｂ、２１ｃに解放可能に連結可能である、他の毛切断ユニット７ｂ、７ｃの各々について、保持部材２３ａと類似の別個の保持部材２３ｂ、２３ｃを含むことに留意のこと。それによって、３つの毛切断ユニット７ａ、７ｂ、７ｃの各々は、毛切断ユニット７ａ、７ｂ、７ｃのうちの任意の１つの毛切断ユニットから独立して、それぞれの支持要素２１ａ、２１ｂ、２１ｃに対する動作位置において別々に保持される。その結果、図２に示すようなシェービングヘッド５の状態において、各保持部材２３ａ、２３ｂ、２３ｃは、その関連する支持要素２１ａ、２１ｂ、２１ｃから別々に解放されることができるので、毛切断ユニット７ａ、７ｂ、７ｃの各々は、関連する支持部材２１ａ、２１ｂ、２１ｃから別々に解放されることができる。保持部材２３ａ、２３ｂ、２３ｃは、シェービングユニット１１の保持構造を共に形成し、保持構造は、シェービングユニット１１の組立状態において３つの毛切断ユニット７ａ、７ｂ、７ｃを支持部材に対する動作位置に保持するよう、シェービングユニット１１の支持部材に解放可能に連結可能である。
【００２８】
支持要素２１ａは、シェービングユニット１１の組立状態において外部切断部材２５ａを取り囲む、図１に見える皮膚接触面５９を含む。支持要素２１ａは、シェービングユニット１１の組立状態において外部切断部材２５ａを受けて収容する、図３に見える主に円筒状の受け部材６１を含む。支持要素２１ａは、シェービングユニット１１のベース部材１９によって枢動的に支持される。この目的のために、支持要素２１ａは、支持要素２１ａ上の２つの正反対の位置に配置された２つのピボット部材６３を含む。２つのピボット部材６３は、支持要素２１ａが配置されるベース部材１９の開口付近に設けられた、図では見えない２つの協動するピボット部材と係合する。ピボット部材６３によって、支持要素２１ａは、ベース部材１９に設けられた２つの協動するピボット部材の位置によって画定されるピボット軸６５について、毛切断ユニット７ａと共に、ベース部材１９に対して枢動する。他の支持要素２１ｂ、２１ｃは、支持要素２１ａに類似するので、各支持要素２１ａ、２１ｂ、２１ｃは、支持要素２１ａ、２１ｂ、２１ｃのうちの任意の他の支持要素とは無関係に、ベース部材１９に対して個々に枢動することに留意のこと。よって、シェービングユニット１１が湾曲した皮膚表面上で使用されるとき、ベース部材１９に対する毛切断ユニット７ａ、７ｂ、７ｃの向きを局所的な皮膚輪郭に個別に適合させることができるので、毛切断ユニット７ａ、７ｂ、７ｃは、皮膚との最適な接触を維持する。
【００２９】
図示しない本発明に従ったシェービングユニットの代替的な実施形態において、支持要素２１ａ、２１ｂ、２１ｃは省略され、シェービングユニットの支持部材は、毛切断ユニットを支持するための共通のベース部材を含むに過ぎない。この代替的な実施形態では、図１に示す実施形態と同様に、保持構造は、各々のそれぞれの毛切断ユニットのための別個の保持部材を含む。しかしながら、保持部材は、各々、ベース部材に解放可能に連結可能であるので、シェービングユニットの組立状態において、毛切断ユニット７ａ、７ｂ、７ｃは、ベース部材に対して主として静止動作位置を有するに過ぎない。ベース部材は、各保持部材のために、ベース部材に対するそれぞれの保持部材の解放可能な連結を可能にする連結構造を含む。前記連結構造は、それぞれの保持部材に設けられた、差込型の連結要素４５に類似する、２つの差込型の連結要素と協働するためにベース部材に設けられた、連結突起４７に類似する２つの連結突起を含んでよい。
【００３０】
シェービングユニット１１の動作中、回転する内部切断部材２７ａは、外部切断部材２５ａに対して摩擦力を加える。更に、毛を切断する際の内部切断部材２７ａと外部切断部材２５ａとの間の協働の結果、回転する内部切断部材２７ａは、シェービングユニット１１の動作中に外部切断部材２５ａに対して毛切断関連力を加える。これらの摩擦力及び毛切断関連力は、外部切断部材２５ａに加えられる回転軸４１の周りの機械的トルクを誘発する。通常動作中の前記機械的トルクの影響の下での回転軸４１についての外部切断部材２５ａの回転を防止するために、シェービングユニット１１の保持構造は、各毛切断ユニット７ａ、７ｂ、７ｃのために、係止部材６７を含む。図４Ａは、図３に示すような毛切断ユニット７ａのために設けられた保持部材２３ａを示しており、ベース部材４３及び係止部材６７は別々に示されている。図４Ｂは、保持部材２３ａを示しており、係止部材６７は、保持部材２３ａに一体化されている。毛切断ユニット７ｂ及び毛切断ユニット７ｃのためにそれぞれ設けられた保持部材２３ｂ及び２３ｃは、各々、それらの中に一体的に配置された類似の係止部材６７を有する。よって、本発明によれば、毛切断ユニット７ａ、７ｂ、７ｃの各々それぞれ１つのために設けられた係止部材６７は、毛切断ユニット７ａ、７ｂ、７ｃのうちの任意の他の毛切断ユニットのために設けられた任意の他の係止部材６７とは別個に配置され、毛切断ユニット７ａ、７ｂ、７ｃのそれぞれ１つのために設けられた関連する別個の保持部材２３ａ、２３ｂ、２３ｃと一体化される。
【００３１】
図４Ａ及び図４Ｂに示すように、係止部材６７は、２つの半環状のバネ部材７１ａ、７１ｂを含む。各バネ部材７１ａ、７１ｂは、中央部分７３ａ、７３ｂと、２つの端部分７５ａ、７７ａ、７５ｂ、７７ｂを有する。係止部材６７は、２つの係止要素７９ａ、７９ｂを更に含む。係止要素７９ａは、バネ部材７１ａの中央部分７３ａに取り付けられ、係止要素７９ｂは、バネ部材７１ｂの中央部分７３ｂに取り付けられる。２つの係止要素７９ａ、７９ｂ及び２つの半環状バネ部材７１ａ、７１ｂは、適切な金属切断及び曲げプロセスによって単一の金属ブレードから一体的に形成される。バネ部材７１ａの端部分７５ａ及びバネ部材７１ｂの端部分７５ｂは、第１の取付部分８１ａを介して相互に連結される。バネ部材７１ａの端部分７７ａ及びバネ部材７１ｂの端部分７７ｂは、第２の取付部分８１ｂを介して相互に接続される。第１及び第２の取付部分８１ａ、８１ｂも、前記単一の金属ブレードから係止部材６７上に一体的に形成される。図４Ｂに示すように、第１及び第２の取付部分８１ａ、８１ｂは、環状ベース部分４３上の２つの正反対の位置に一体的に設けられた２つの取付要素８３ａ、８３ｂのそれぞれの１つにそれぞれ接続される。取付要素８３ａ、８３ｂへの第１及び第２の取付部分８１ａ、８１ｂの接続は、適切な金属曲げプロセスによって確立されてよい。よって、バネ部材７１ａ、７１ｂの両端部分７５ａ、７７ａ；７５ｂ、７７ｂは、第１及び第２の取付部分８１ａ、８１ｂを介してベース部分４３に取り付けられる一方で、バネ部材７１ａ、７１ｂの中央部分７３ａ、７３ｂは、バネ部材７１ａ、７１ｂの弾性変形によって回転軸４１に平行な方向においてベース部分４３から離れる方向に自由に動く。
【００３２】
図４Ｂに示すように、バネ部材７１ａ、７１ｂは、環状当接面５３とは反対のベース部分４３の側に配置される。その結果、シェービングユニット１１の組立状態において、バネ部材７１ａ、７１ｂは、外部切断部材２５ａから見て外方を向くベース部分４３の側に配置される。係止要素７９ａ、７９ｂは、各々、ベース部分４３を通じて提供される２つの開口８５のそれぞれの１つを通じて延びる。図４Ｂに示すようにバネ部材７１ａ、７１ｂがベース部分４３に対して位置する、バネ部材７１ａ、７１ｂの静止位置において、係止要素７９ａ、７９ｂは、各々、２つの正反対の位置において当接面５３に対して突出する。図４Ｂでは、係止要素７９ａのみが見える一方で、係止要素７９ｂは係止要素７９ａと正反対の整列要素５１の背後に隠されていることに留意のこと。
【００３３】
外部切断部材２５ａの周方向フランジ３３が支持要素２１ａの環状内部リム４９と保持部材２３ａのベース部分４３の当接面５３との間で回転軸４１に平行な方向に保持される、シェービングユニット１１の組立状態において、係止要素７９ａ、７９ｂは、図４Ｂに示すようなそれらの突出位置にある。これらの位置において、係止要素７９ａ、７９ｂは、バネ部材７１ａ、７１ｂのバネ力によって外部切断部材２５ａに向かって付勢され、外部切断部材２５ａに設けられた２つの係合要素のそれぞれの１つと係合する。図３に示す実施形態において、２つの係合要素は、外部切断部材２５ａの周方向フランジ３３における２つの正反対の位置に設けられた２つの圧痕８７ａ、８７ｂ(indentations)である。シェービングユニット１１の組立状態における係止要素７９ａ、７９ｂ及び圧痕８７ａ、８７ｂの相互係合によって、回転する内部切断部材２７ａによって加えられる摩擦力及び毛切断関連力の影響の下での回転軸４１についての外部切断部材２５ａの回転は防止される。
【００３４】
別個の保持部材２３ａ、２３ｂ、２３ｃに一体化された弾性的に付勢された係止要素７９ａ、７９ｂを含む係止部材６７は、例えば、ユーザが洗浄のために支持要素２１ａ、２１ｂ、２１ｃから毛切断ユニット７ａ、７ｂ、７ｃを取り外したときに、ユーザによるシェービングユニット１１の簡便な組立を可能にする。具体的には、前述のように図３に示す分解状態から開始して、毛切断ユニット７ａを支持要素２１ａに対するその動作位置に導いて保持するときに、ユーザは、保持部材２３ａを支持要素２１ａに連結する前に、内部切断部材２７ａが外部切断部材２５ａ内に配置された状態で、外部切断部材２５ａを支持要素２１ａの回転軸４１に対する任意の角度位置に配置することが可能にされる。換言すれば、ユーザは、外部切断部材２５ａを支持要素２１ａ内に配置するときに、回転軸４１についての外部切断部材２５ａの角度位置を整列させる必要がない。引き続き、ユーザが保持部材２３ａを外部切断部材２５ａの周方向フランジ３３上に配置するときに、突出係止要素７９ａ、７９ｂは、圧痕８７ａ、８７ｂと偶発的に係合する。そのような場合、外部切断部材２５ａは、保持部材２３ａに対する回転に対して直ちに係止され、結果的に、保持部材２３ａが支持要素２１ａに完全に連結されるまで、ユーザが引き続き保持部材２３ａを回転させると、保持部材２３ａと共に回転する。しかしながら、最も普通の場合、即ち、外部切断部材２５ａのフランジ３３上に保持部材２３ａを初期配置する間に、係止要素７９ａ、７９ｂは、圧痕８７ａ、８７ｂと直接係合せず、係止要素７９ａ、７９ｂは、外部切断部材２５ａのフランジ３３に当接する。その結果、係止要素７９ａ、７９ｂは、ベース部分４３から離れる方向へのバネ部材７１ａ、７１ｂの中央部分７３ａ、７３ｂの弾性的な変形の下で、ベース部分４３に設けられた開口８５内の凹み位置に押し込まれる。引き続き、保持部材２３ａを支持要素２１ａに連結するために、ユーザが保持部材２３ａを回転させると、係止要素７９ａ、７９ｂは、場合によっては、保持部材２３ａの前記回転中にバネ部材７１ａ、７１ｂによって圧痕８７ａ、８７ｂと係合して、圧痕８７ａ、８７ｂ内に押し込まれることがあり、その結果、外部切断部材２５ａは、保持部材２３ａに対する回転に対して係止される。これは、明らかに、保持部材２３ａを外部切断部材２５ａのフランジ３３に最初に配置した後の圧痕８７ａ、８７ｂに対する係止要素７９ａ、７９ｂの角度位置及び保持部材２３ａを支持要素２１ａに連結するのに必要とされる全角度回転に依存する。保持部材２３ａを支持要素２１ａに連結した後に、係止要素７９ａ、７９ｂが依然として圧痕８７ａ、８７ｂと係合しないとき、係止要素７９ａ、７９ｂは、シェービングデバイスの起動(アクティブ化)後、バネ部材７１ａ、７１ｂによって圧痕８７ａ、８７ｂと係合し、圧痕８７ａ、８７ｂ内に押し込まれる。そのような場合には、シェービングデバイスの起動後、外部切断部材２５ａは、係止要素７９ａ、７９ｂが圧痕８７ａ、８７ｂに係合するまで、回転する内部切断部材２７ａによって加えられる摩擦力及び毛切断関連力の影響の下で、連結された保持部材２３ａに対して回転軸４１について初期的に回���する。シェービングユニット１１内への他の毛切断ユニット７ｂ、７ｃの組立が類似の方法で進行し、回転に対するその外部切断部材の自動的な係止を類似の簡便な方法においてもたらすことは、明らかである。回転に対する前記自動的な係止を含む前記組立が、各々の毛切断ユニット７ａ、７ｂ、７ｃについて、任意の他の毛切断ユニット７ａ、７ｂ、７ｃとは別個に且つ任意の他の毛切断ユニット７ａ、７ｂ、７ｃから独立して、ユーザによって行われてよいことも明らかであろう。
【００３５】
本発明に従ったシェービングユニットの代替的な実施形態において、係止部材は、単一の係止要素のみを含んでよい。単一の係止要素は、前述のバネ部材７１ａと同様に、単一の半環状バネ部材に取り付けられてよい。単一の半環状バネ部材は、保持部材の環状ベース部分に取り付けられた２つの端部分と、単一の係止要素を支持する中央部分とを有することがある。更なる代替的な実施形態において、係止要素を支持する係止部材のバネ部材は、異なる形状を有してよく、前述のバネ部材７１ａと比べて異なる方法及び異なる位置でベース部分に締結されてよい。バネ部材及び係止要素は、例えば、射出成形プロセスによって、単一のプラスチック材料からベース部分と一体的に形成されてよい。係止部材上に設けられる係止要素の数は、２よりも多くてよい。
【００３６】
本発明に従ったシェービングユニットの代替的な実施形態の例が、図５に示されており、図５は、保持部材２３ａ、２３ｂ、２３ｃの代わりにシェービングユニット１１において使用されることがある代替的な保持部材１２３を詳細に示している。保持部材１２３は、外部切断部材２５ａの周方向フランジ３３上の動作位置において示されている。支持要素及び内部切断部材は、図５に示されていない。保持部材１２３は、保持部材２３ａ、２３ｂ、２３ｃのベース部分４３に実質的に類似する主に環状のベース部分１４３を含む。保持部材１２３は、２つのブレードバネ部材１７１を有する係止部材１６７を含み、２つのブレードバネ部材は、各々、シェービングユニットの組み立てられた状態において外部切断部材２５ａに面するベース部分１４３の側でベース部分１４３に設けられた凹みチャンバ１７３内に配置される。図５では、ブレードバネ部材１７１のうちの１つのみ及び凹みチャンバ１７３のうちの１つのみが見える。他のブレードバネ部材及び他の凹みチャンバは、ベース部分１４３内の正反対の位置に配置されている。係止要素１７９は、ブレードバネ部材１７１の曲げられた端部分によって形成されている。ブレードバネ部材１７１は、ベース部分１４３の環状当接面１５３と実質的に面一の位置に取り付けられた金属キャリヤプレート１７５と一体に形成される。図５に示す動作位置において、係止要素１７９は、外部切断部材２５ａのフランジ３３にある圧痕８７ａに係合している。シェービングユニットの組立中、保持部材２３ａに対する前述のようなフランジ３３上での保持部材１２３の初期的な配置後、係止要素１７９は圧痕８７ａに直ちに係合せず、係止要素１７９はフランジ３３に当接し、ブレードバネ部材１７１は凹みチャンバ１７３内に弾性的に変形して、凹みチャンバ１７３内の係止要素１７９の凹み位置を可能にする。係止部材１６７及びその係止要素１７９の動作は、前述のような係止部材６７及び係止要素７９ａ、７９ｂの動作と類似である。
【００３７】
前述の記述及び図面中で本発明を詳細に記載し且つ例示したが、そのような記述及び例示は、説明的及び／又は例示的であると考えられるべきであり、限定的な意味において考えられてならない。本発明は、開示の実施形態に限定されない。
【００３８】
当業者は、特許請求する発明を実施する際に、図面、本開示、及び添付の請求の範囲の研究から、開示の実施形態に対する他の変形を理解して実施することができる。請求項において、「含む」という語は、他の要素又はステップを除外せず、単数形の表現は、複数を除外しない。記述の明確性及び簡潔性のために、構成は、同じ実施形態の一部として又は別個の実施形態の一部として本明細書に開示されるが、本発明の範囲は開示の構成の全部又は一部の組み合わせを有する実施形態を含む場合があることが理解されるであろう。特定の手段が相互に異なる従属項において引用されているという単なる事実は、これらの手段の組み合わせを有利に用い得ないことを示さない。
【先行技術文献】
【特許文献】
【００３９】
【特許文献１】米国特許第４，３１８，２２３号明細書
【図１】
2021504073.tif 000003
【図２】
2021504073.tif 000004
【図３】
2021504073.tif 000005
【図４Ａ】
2021504073.tif 000006
【図４Ｂ】
2021504073.tif 000007
【図５】
2021504073.tif 000008
【国際調査報告】
2021504073.tif 000009
2021504073.tif 000010
2021504073.tif 000011